(57)【特許請求の範囲】
【請求項１】
原稿の画像情報を読み取って記録媒体に印字を行う記録装置であって、
前記原稿を平面状に載置可能な原稿載置ガラスを備えるスキャナ部と、
当該スキャナ部の下方に設けられ、前記記録媒体が搬送される搬送経路と、
当該搬送経路を搬送された前記記録媒体が排出される排出部と、
当該排出部の下方に設けられ、前記記録媒体に吐出されるインクを貯留したインクカートリッジと、
当該インクカートリッジ上方でかつ前記スキャナ部の下方に回動可能に設けられ、前記排出部から外側に向かって延出すると共に、前記スキャナ部に当接可能な当接部を有し、前記記録媒体を外部に案内するトレイと、
当該トレイの先端を常に上方へ回動させる方向に付勢する付勢部材と、
前記スキャナ部を回動自在に軸支するヒンジ部とを備え、
使用可能時には、前記スキャナ部と前記当接部とが当接し、前記付勢部材の付勢力に逆らって前記トレイを所定の位置に保持し、前記インクカートリッジの交換時には、前記スキャナ部の前記ヒンジ部周りの回動に伴い、前記付勢力によって前記トレイの前端が上方へ回動することを特徴とする記録装置。
【請求項２】
前記トレイは、当該トレイに対して表面積の小さい記録媒体を前記トレイから取り出す際に、手等を挿入可能な貫通孔を備えていることを特徴とする請求項１に記載の記録装置。
【請求項３】
前記トレイは、互いにスライド可能で、少なくとも２つの構成部材から構成されることを特徴とする請求項１又は２に記載の記録装置。
【請求項４】
前記少なくとも２つの構成部材の収納状態においては、その先端がスキャナ部の投影範囲内にあることを特徴とする請求項３に記載の記録装置。
【請求項５】
前記少なくとも２つの構成部材の一方は、切り欠きを備え、他方は貫通孔を備え、当該一方の構成部材に対して、当該他方の構成部材をスライドした何れの状態においても、前記切り欠きと前記貫通孔が重なった部分に貫通孔が形成されることを特徴とする請求項３に記載の記録装置。
【請求項６】
前記スキャナ部には、突起もしくは当該突起が嵌合する嵌合部の何れか一方が設けられており、
前記搬送経路又は排出部の前記突起もしくは当該突起が嵌合する嵌合部の何れかに対向する部分には、前記一方とは異なる他方が設けられており、
前記ヒンジ部には、軸心方向に前記スキャナ部が移動可能な隙間が設けられており、
前記スキャナ部は、前記突起と前記嵌合部とが嵌合して、前記ヒンジ部の軸心方向の位置決めがなされることを特徴とする請求項１乃至５の何れかに記載の記録装置。
【発明の詳細な説明】
【０００１】
【発明の属する技術分野】
本発明は、記録装置に関し、詳しくは、スキャナのフラットベッドの回動に伴って記録媒体を案内するトレイが連動することができる記録装置に関する。
【０００２】
【従来の技術】
従来、紙等の記録媒体に記録を行うプリンタ機能、原稿を読み取って画像データを作成するスキャナ機能、通信回線を介して画像データの送受信を行うファクス機能等を備えた複合機が知られている。例えば、上部にフラットベッドタイプのスキャナ部を、下部にインクジェット記録方式のプリンタ部をそれぞれ備えた複合機である。下部に位置するプリンタ部では、供給部から供給された記録媒体がプリンタ部内を搬送され、インクジェットヘッドからインクが吐出されて印刷が行われ、その後排出部を通って複合機の外部に排出する。排出部には記録媒体を外部へ排出するのを案内するための排出トレイが設けられている。この複合機に用いられるプリンタ部は、インクカートリッジとヘッドとを搭載したキャリッジが左右に走査して記録媒体に印刷する構成になっているので、インクカートリッジ内のインクが減少した場合には、キャリッジ上のインクカートリッジを交換する必要があり、スキャナ部をプリンタ部に対して回動可能にすることによって交換を可能としている。また、ほとんどの場合、スキャナ部のサイズがプリンタ部のサイズよりも大きく、印刷済の記録媒体を取り出すときにスキャナ部が邪魔になるため、スキャナ部とプリンタ部の記録媒体排出部分とには大きなスペースが設けられている。
【０００３】
【発明が解決しようとする課題】
近年では、このような複合機を普及させるため、より小さく、より薄くすることが求められている。しかしながら、上記のような構成では、インクジェットヘッドにインクを供給するためのインクカートリッジとインクジェットヘッドとがキャリッジ上にあるため、どうしても、スキャナ部、インクカートリッジ、ヘッドが高さ方向に重なることになり、複合機全体が高さ（厚さ）方向に大きくなってしまい、薄型化を進めることが難しかった。また、複合機を薄型にしようとすると、スキャナ部とプリンタ部の記録媒体排出部分とのスペースも小さくならざるを得ず、記録済の記録媒体が取り出しにくくなるという問題も発生することになる。
【０００４】
本発明は、上記課題を解決するためになされたものであり、複合機全体を薄型化すると共に、インクカートリッジの交換作業及び排出部（記録媒体排出部分）からの記録媒体の取り出し作業を効率よく行うことができる記録装置を提供することを目的とする。
【０００５】
【課題を解決するための手段】
上記目的を達成するための請求項１に係る発明の記録装置は、原稿の画像情報を読み取って記録媒体に印字を行うものであって、前記原稿を平面状に載置可能な原稿載置ガラスを備えるスキャナ部と、当該スキャナ部の下方に設けられ、前記記録媒体が搬送される搬送経路と、当該搬送経路を搬送された前記記録媒体が排出される排出部と、当該排出部の下方に設けられ、前記記録媒体に吐出されるインクを貯留したインクカートリッジと、当該インクカートリッジ上方でかつ前記スキャナ部の下方に回動可能に設けられ、前記排出部から外側に向かって延出すると共に、前記スキャナ部に当接可能な当接部を有し、前記記録媒体を外部に案内するトレイと、当該トレイの先端を常に上方へ回動させる方向に付勢する付勢部材と、前記スキャナ部を回動自在に軸支するヒンジ部とを備え、使用可能時には、前記スキャナ部と前記当接部とが当接し、前記付勢部材の付勢力に逆らって前記トレイを所定の位置に保持し、前記インクカートリッジの交換時には、前記スキャナ部の前記ヒンジ部周りの回動に伴い、前記付勢力によって前記トレイの前端が上方へ回動することを特徴とする。
【０００６】
この構成の記録装置では、記録媒体を外部に案内するトレイの使用可能時には、スキャナ部とトレイの当接部とが当接し、付勢部材の付勢力に逆らってトレイが所定の位置に保持される。従って、トレイの使用可能時には、排出部から排出された記録媒体をトレイによって確実に下側から保持できる。また、インクカートリッジの交換時には、スキャナ部のヒンジ部周りの回動に伴い、付勢力によってトレイの前端が上方へ回動し、記録装置を正面視したとき、トレイが回動した状態でインクカートリッジが現出するので、インクカートリッジを容易に取り出すことができ、カートリッジの交換作業の効率を上げることができる。
【０００７】
また、請求項２に係る発明の記録装置は、請求項１に記載の記録装置の構成に加えて、前記トレイは、当該トレイに対して表面積の小さい記録媒体を前記トレイから取り出す際に、手等を挿入可能な貫通孔を備えていることを特徴とする。
【０００８】
この構成の記録装置では、請求項１に記載の発明の作用に加えて、トレイは、手等を挿入可能な貫通孔を備えているので、トレイに対して表面積の小さい記録媒体が排出されたときも、貫通孔に手を入れることにより、記録媒体をトレイから容易に取り出すことができる。
【０００９】
また、請求項３に係る発明の記録装置は、請求項１又は２に記載の記録装置の構成に加えて、前記トレイは、互いにスライド可能で、少なくとも２つの構成部材から構成されることを特徴とする。
【００１０】
この構成の記録装置では、請求項１又は２に記載の発明の作用に加えて、トレイは、互いにスライド可能で、少なくとも２つの構成部材から構成されている。従って、各構成部材をスライドさせて、トレイ自体をコンパクトに収納することができる。
【００１１】
また、請求項４に係る発明の記録装置は、請求項３に記載の記録装置の構成に加えて、前記少なくとも２つの構成部材の収納状態においては、その先端がスキャナ部の投影範囲内にあることを特徴とする。
【００１２】
この構成の記録装置では、請求項３に記載の発明の作用に加えて、トレイを構成する少なくとも２つの構成部材は、収納状態において、その先端がスキャナ部の投影範囲内にあるので、構成部材の収納状態では、記録装置を全体的にコンパクトにすることができる。
【００１３】
また、請求項５に係る発明の記録装置では、請求項３に記載の記録装置の構成に加えて、前記少なくとも２つの構成部材の一方は、切り欠きを備え、他方は貫通孔を備え、当該一方の構成部材に対して、当該他方の構成部材をスライドした何れの状態においても、前記切り欠きと前記貫通孔が重なった部分に貫通孔が形成されることを特徴とする。
【００１４】
この構成の記録装置では、請求項３に記載の発明の作用に加えて、少なくとも２つの構成部材の一方は、切り欠きを備え、他方は貫通孔を備え、当該一方の構成部材に対して、当該他方の構成部材をスライドした何れの状態においても、前記切り欠きと前記貫通孔が重なった部分に貫通孔が形成される。従って、各構成部材をスライドさせることにより、トレイをコンパクトに収納することができると共に、収納状態及び引き出した状態の何れにおいても、貫通孔に手を入れることより、表面積の小さい記録媒体をトレイから容易に取り出すことができる。
【００１５】
また、請求項６に係る発明の記録装置では、請求項１乃至５の何れかに記載の記録装置の構成に加えて、前記スキャナ部には、突起もしくは当該突起が嵌合する嵌合部の何れか一方が設けられており、前記搬送経路又は排出部の前記突起もしくは当該突起が嵌合する嵌合部の何れかに対向する部分には、前記一方とは異なる他方が設けられており、前記ヒンジ部には、軸心方向に前記スキャナ部が移動可能な隙間が設けられており、前記スキャナ部は、前記突起と前記嵌合部とが嵌合して、前記ヒンジ部の軸心方向の位置決めがなされることを特徴とする。
【００１６】
この構成の記録装置では、請求項１乃至５の何れかに記載の発明の作用に加えて、スキャナ部には、突起もしくは当該突起が嵌合する嵌合部の何れか一方が設けられており、搬送経路又は排出部の突起もしくは突起が嵌合する嵌合部の何れかに対向する部分には、前記一方とは異なる他方が設けられているので、スキャナ部が搬送経路又は排出部に対して回動することができる構成であっても、スキャナ部の使用状態時には、前記突起と嵌合部との両者の嵌合により、ヒンジ部の軸心方向の位置決めが正確になされるので、スキャナ部ががたつくことなく所定の読み取り動作を的確に行うことができる。
【００１７】
【発明の実施の形態】
以下、本発明を具体化した一実施の形態について図面に沿って説明する。尚、本実施の形態では、インクジェット方式のプリンタ機能とスキャナ機能とファクス機能とを備えた複合機を例に挙げて説明する。ここで、図１は、複合機１の斜視図である。図１に示すように、複合機１は、フラットベッド読取部３５を備えたフラットベッドタイプのスキャナ３０と、当該スキャナ３０の直下に位置するインクジェットプリンタ３とを備えており、略直方体形状を有している。詳細には、複合機１は、図１での横方向が奥行き方向に対してやや長い辺を持つ略長方形を、上下方向に前記辺よりも短い所定量だけ引き延ばして形成された略直方体形状となっている。また、複合機１の背面側（図１での奥行き側）には、インクジェットプリンタ３内に搬送される紙（図示外）を供給するための給紙トレイ４が上方に開口して設けられている。
【００１８】
複合機の上側に位置するスキャナ３０は、平面視略長方形で、上下方向に所定厚を有した略直方体のフラットベッド読取部３５を備えている。このフラットベッド読取部３５にはカバー３５ａが一辺を軸に回動可能に取り付けられており、図示しないが、原稿を載置する原稿ガラスを覆っている。さらに、コンタクトイメージセンサ等の読取素子、その読取素子を移動させるための駆動モータ等（図示外）を備えている。また、フラットベッド読取部３５は、自身の背面側（図１の奥行き側）下部に軸受け部（図示外）を備えており、この軸受け部が、後述するインクジェットプリンタ３のカバー部材２０に設けられたヒンジ２２に嵌合し、フラットベッド読取部３５は、インクジェットプリンタ３に対して回動可能となる。また、フラットベッド読取部３５は、自身の底部に略円柱形の突起３１（図４参照）を備えており、フラットベッド読取部３５がインクジェットプリンタ３方向に回動すると、突起３１がインクジェットプリンタ３に設けられた嵌合部４０の切り欠き３６（図２参照）に嵌合するようになっている。
【００１９】
スキャナ３０の直下に位置するインクジェットプリンタ３は、図示外の各基板やプラテン、キャリッジ、紙送り等の各機構からなるプリンタエンジン等が配設される基材１０と、基材１０に上方から覆設されて、インクジェットプリンタ３を構成する各基板やプリンタエンジン等を覆うカバー部材２０とを備えている。また、基材１０の複合機１の前面側（図１の手前側）には、記録媒体である紙（図示外）に印字を行うためのインクを貯留した４つのインクカートリッジ１８（図４参照）が載置されるようになっている。これら４つのインクカートリッジ１８は、その上方に設けられた不動状態の第１のカバー２６ａと、当該第１のカバー先端の側縁に設けられた回動軸２３（図４参照）を中心として回動可能な第２のカバー２６ｂとによって覆われた状態となっている。
【００２０】
図４に示すインクカートリッジ１８は、それぞれ複合機１の前面側から背面側に向かって挿入され、その挿入方向（図４の左右方向）に長尺で厚さの薄い略直方体形状を有している。そして、各インクカートリッジに対応して、イエロー、マゼンタ、シアン及びブラックの４色のインクの何れかがそれぞれ充填されている。インクカートリッジ１８は、略同一高さの位置で水平方向に４つ並んでおり、複合機１の前面側へ取り出し可能となっている。そして、図４に示すように、インクカートリッジ１８は、その複合機１の背面側（図４での右側）に位置する側面１８ａがインクジェットプリンタ３側から突出した針２８に貫通されることによって、内部のインクが、針２８から連続したチューブ（図示外）を通ってインクジェットヘッド（図示外）に送られるようになっている。
【００２１】
次に、図２及び図３を参照してインクジェットプリンタ３の構造について説明する。ここで、図２は、複合機１からスキャナ３０を取り外した状態を示す斜視図であり、図３は、同状態を示す平面図である。インクジェットプリンタ３では、給紙トレイ４が設けられた側である図２の奥行き側及び図３の上側が、紙（図示外）の搬送方向上流側となっており、それに対向する図２の手前側及び図３の下側が、紙（図示外）の搬送方向下流側となっている。図２及び図３に示すように、複合機１からスキャナ３０（図１参照）を取り外すと、インクジェットプリンタ３内に搬送された紙（図示外）の排出部５と、当該排出部５の用紙搬送方向下流でかつ下方に配置された４つのインクカートリッジ１８（図４参照）を覆ったカバー２６とが現出する。カバー２６は、搬送方向上流側に設けられた不動状態の第１のカバー２６ａと、当該第１のカバー２６ａと連続してその搬送方向下流側に設けられ、第１のカバー２６ａ先端の側縁に設けられた回動軸２３（図４参照）を中心として回動可能な断面略Ｌ字型の第２のカバー２６ｂとから構成されており、４つのインクカートリッジ１８を全体的に覆っている。
【００２２】
尚、図４において回動軸２３は大きく描かれているが、ユーザが仮にトレイ６を外した状態で使用すると考えると、この部分に紙が引っ掛かって排出不良を発生する可能性もあるので、第１のカバー２６ａの上面より上には突出しないようにすると、トレイ６をユーザが外した時でも、排出の邪魔になることはない。
【００２３】
インクジェットプリンタ３は、図４に示すインクカートリッジ１８が載置されるカートリッジ載置部（図示外）を備え、各基板やプリンタエンジン等のインクジェットプリンタ３の構成部材が配設される基材１０と、当該基材１０に覆設されて、前記各構成部材を上方から覆うカバー部材２０とを備えている。このカバー部材２０は、基材１０の上方において基材１０全体をほぼ覆っている。
【００２４】
インクジェットプリンタ３の背面側（図２の奥行き側）には、記録媒体である紙（図示外）が供給される給紙トレイ４が設けられており、斜め方向に用紙を保持する。給紙トレイ４は、上方に開口した開口部４ａを備えている。また、給紙トレイ４は、記録媒体である紙をインクジェットプリンタ３内に送るための給紙ローラ４５（図４参照）等を備えている。カバー部材２０は、前面側が切り欠き２１によって切り欠かれた略凹の字を上下方向に引き延ばした形状を有し、切り欠き２１周縁部に形成された３つの壁部の内、その背面側に位置する底部には、記録媒体である紙が排出される排出部５が形成されている。排出部５の紙（図示外）の搬送方向下流側からは、図４に示すインクカートリッジ１８を覆ったカバー２６が前記下流側にさらに延出しており、カバー２６の左右方向側縁が、それぞれ切り欠き２１周縁部の図２での左側に位置する左側壁２１ａ及び右側に位置する右側壁（図示外）に密接した状態となっている。
【００２５】
また、切り欠き２１の左側壁２１ａの排出部５近傍には、左側壁２１ａの表面側に開口し、略半円柱型に切り欠かれた切り欠き３６が形成されている。この切り欠き３６は、上下方向に延在し、カバー部材２０だけではなく基材１０の一部分まで連通している。左側壁２１ａに密接したカバー２６の第１のカバー２６ａは、その切り欠き３６と対向する位置に、切り欠き３６と略同一形状の切り欠き３７を備えている。これら略半円柱形状の切り欠き３６及び切り欠き３７によって、略円柱形状の嵌合部４０が形成され、当該嵌合部４０の切り欠き３６に対して、スキャナ３０に設けられた突起３１（図４参照）が嵌合することになる。
【００２６】
また、カバー部材２０のインクジェットプリンタ３の背面側縁には、図１に示すスキャナ３０に設けられた図示外の軸受け部が嵌合するヒンジ２２が左右方向で一対となって設けられている。ヒンジ２２は、カバー部材２０のインクジェットプリンタ３の背面側縁で、カバー部材２０の表面２０ａから表面２０ａに対して略垂直方向に突出した左右一対の鉛直部２２ａと、当該鉛直部２２ａ間に渡設された水平部２２ｂとから構成されており、下方に開口した略コの字型形状を有している。図１に示すスキャナ３０のフラットベッド３５は、その軸受け部（図示外）が各ヒンジ２２の水平部２２ｂにそれぞれ回動可能に軸支され、かつ各軸受け部がそれぞれ図中右側に位置する鉛直部２２ａに当接した状態で、フラットベッド３５底部に設けられた突起３１が嵌合部４０の切り欠き３６に嵌合することになる。
【００２７】
さらに、図２及び図３には図示しないが、排出部５の紙（図示外）の搬送方向下流側には、排出された図示外の紙を外部へ案内する排紙トレイ６（図４参照）が設けられている。排紙トレイ６は、図４に示す回動軸７に回動可能に軸支され、インクジェットプリンタ３のカバー部材２０の切り欠き２１周縁部に形成された左側壁２１ａ及び右側壁（図示外）とそれぞれ僅かな隙を空けて取り付けられている。図４に示すように、排紙トレイ６は、インクカートリッジ１８の上方に設けられており、紙（図示外）の搬送方向上流側（図４の右側）に設けられた回動軸７を中心に、その先端が上下方向に回動可能となっている。また、インクジェットプリンタ３の給紙トレイ４と排紙トレイ６間において、紙の搬送経路と一部重なる位置にはインクジェットヘッドやキャリッジ、プラテン等を備えたエンジン（プリンタエンジン）１６が設けられている。
【００２８】
排紙トレイ６は、図６及び図７に示すように、所定厚を有する平面視略長方形形状で、インクジェットプリンタ３に設けられた回動軸７（図２参照）に回動可能に連結された第１の構成部材６ａと、当該第１の構成部材６ａに、図６及び図７での上下方向にスライド可能に設けられた、所定厚を有する平面視略正方形形状の第２の構成部材６ｂとから構成されている。第１の構成部材６ａは、第２の構成部材６ｂが取り付けられた側（図中下側）とは反対側の側縁がインクジェットプリンタ３の回動軸７に連結された回動中心となっており、その先端（図中下側端）が側面視で上下方向に回動可能となっている。第１の構成部材６ａの先端側縁には、丸みを帯びた略長方形の切り欠き５５が形成されている。また、第２の構成部材６ｂは、その略中心部に穿設された自身と相似の略正方形形状の貫通孔５６を備えている。
【００２９】
さらに、第１の構成部材６ａの幅方向両側縁（図中左右方向両側縁）からは、所定厚を持った板状部材の当接部５８が一対となって所定長さだけ突出している。この当接部５８は、図の手前方向即ち側面視上方に向かって突出しており、その側縁に位置する断面が、スキャナ３０のフラットベッド３５底部に設けられた突起３１が当接する当接面５８ａとなっている。そして、フラットベッド３５のインクジェットプリンタ３側への回動に伴って当接部５８が突起３１に押圧されることで、排紙トレイ６が回動し、その先端が下方に移動することになる。
【００３０】
第２の構成部材６ｂを第１の構成部材６ａの回動中心側（図中上方）にスライドさせると、排紙トレイ６に第２の構成部材６ｂが収納された状態となり、排紙トレイ６は全体的にコンパクトになる。このとき、第１の構成部材６ａに形成された切り欠き５５と第２の構成部材６ｂに穿設された貫通孔５６とが重なった部分には貫通孔５７が形成されており、この場合の貫通孔５７は、切り欠き５５の略２倍の大きさを持っている。そして、第２の構成部材６ｂを第１の構成部材６ａの先端側にスライドさせると、切り欠き５５と貫通孔５６とが重なった部分には、貫通孔５６と略同一形状の貫通孔５７が形成される。トレイ６では、排出部５から排出された記録媒体である紙（図示外）がトレイ６に比べて小さい場合も、第１の構成部材６ａと第２の構成部材６ｂとをスライドさせて、各構成部材６ａ，６ｂにそれぞれ設けられた切り欠き５５と貫通孔５６とを重ねて形成された貫通孔５７に手等を挿入することができるので、比較的小さな記録媒体である紙（ハガキ等）も容易に取り出すことができる。
【００３１】
また、図４及び図５に示すように、排紙トレイ６の直下には、排紙トレイ６の先端を回動軸７を回動中心として常に上方に付勢する付勢部材８が設けられている。付勢部材８は、図４の奥行き方向に所定幅を有し、回動軸７から離れる方向即ち先端に向かって狭窄した板状部材であり、自身の軸部８ａに設けられた図示外の捻りコイルバネによって、排紙トレイ６に上向きの付勢力を付与している。詳細には、付勢部材８は、その先端が自身の軸部８ａと排紙トレイ６の回動軸７との間で排紙トレイ６の裏側に当接して、捻りコイルバネの付勢力によって排紙トレイ６を常に上方に付勢しており、図２では図示しないが、インクジェットプリンタ３のカバー部材２０の切り欠き２１周縁部において、その左側壁２１ａにのみ取り付けられている。尚、取り付ける方法はどのような方法でも良い。
【００３２】
そして、スキャナ３０のフラットベッド読取部３５を、その軸受け部（図示外）がヒンジ２２の水平部２２ｂ（図２参照）に嵌合した状態で、当該水平部２２ｂを中心としてインクジェットプリンタ３方向に回動させると、フラットベッド３５の底部に設けられた突起３１が排紙トレイ６の幅方向側縁から突出した当接部５８の当接面５８ａに当接して、トレイ６が下方に押圧されて回動するので、トレイ６の先端が下方に移動する。トレイ６の先端が下方に移動すると、図６に示すように、図中に１点鎖線で示す紙（図示外）の搬送経路７５がトレイ６上に形成され、トレイ６上に排出部５（図２参照）から排出された紙が順に載置される。排出された紙がある程度溜まると、その重みで排紙トレイ６の先端がさらに下方に移動する。それにより、トレイ６を完全に固定してしまうよりも多くの紙を一度に溜めることができるようになる。さらに、トレイ６の先端が下がるので、外部から容易に溜まった紙をより容易に取り出すことができる。
【００３３】
逆に、スキャナ３０のフラットベッド読取部３５を上方に回動させると、排紙トレイ６は、付勢部材８の付勢力によってその先端が上方に移動するように回動する。これにより、フラットベッド３５を上方に回動させた状態では、複合機１の正面視方向において、インクカートリッジ１８を覆ったカバー２６がほぼ完全に現出するので、回動可能な第２のカバー２６ｂを回動軸２３を中心に容易に回動させることができ、インクカートリッジ１８の取り出し及び交換の作業を簡単に行えうことができる。
【００３４】
このとき、スキャナ３０のフラットベッド３５は、その底部に設けられた突起３１がインクジェットプリンタ３に設けられた嵌合部４０に嵌合することによりインクジェットプリンタ３に覆設されるが、フラットベッド３５の軸受け部（図示外）は、各ヒンジ２２の図中右側の鉛直部２２ａに当接しており、ヒンジ２２が当接した側と対向する図中左側において、フラットベッド３５底部に設けられた突起３１が嵌合部４０の切り欠き３６に嵌合することになるので、フラットベッド３５を、ヒンジ２２の水平部２２ｂの軸心方向の位置決めをしつつインクジェットプリンタ３に覆設することができる。
【００３５】
以上説明したように、本実施の形態の複合機１では、インクを貯留したインクカートリッジ１８は、薄型形状を有し、かつ記録媒体である紙の排出部５下方に設けられているので、インクジェットプリンタ３の厚さを薄くすることができ、また厚さ方向に直交する方向の面積を小さくすることができる。また、排紙トレイ６は、その幅方向側縁に当接部５８を備えており、フラットベッド３５のインクジェットプリンタ３方向への回動に伴って、当接部５８の当接面５８ａにフラットベッド３５の底部に設けられた突起３１が当接するので、排紙トレイ６が、その先端が下方に移動するように回動される。そして、その状態で排紙トレイ６上に印字が行われた紙が順に載置されると、紙の重みによって、排紙トレイ６が、付勢部材８の付勢力に逆らって自身の先端が下方に移動するように回動する。従って、溜まった紙を容易に取り出すことができる。
【００３６】
また、フラットベッド３５が、その先端がインクジェットプリンタ３から離れる方向に回動すると、排紙トレイ６の先端が、付勢部材８の付勢力によって上方に移動して、インクカートリッジ１８を覆うカバー２６がほぼ完全に現出するので、カバー２６の第２のカバー２６ｂを回動させて開くことにより、インクカートリッジ１８の交換を容易に行うことができる。さらに、フラットベッド３５は、その幅方向右側に向かって、軸受け部がヒンジ２２の右側の鉛直部２２ａにそれぞれ当接し、幅方向左側において、自身の突起３１がインクジェットプリンタ３側に設けられた嵌合部４０の切り欠き３６と嵌合しており、自身幅方向の左右でそれぞれ位置決めされているので、インクジェットプリンタ３に対して正確な位置関係をもって覆設されることになる。
【００３７】
尚、本発明は、上記の実施の形態に限られず各種の変形が可能である。例えば、スキャナ３０のフラットベッド３５底部に設けられた突起３１を、複合機１を正面視したときに、左側に位置するように設けず右側に位置するように設けてもよい。また、本実施の形態では、フラットベッド３５側に突起３１を、インクジェットプリンタ３側に嵌合部４０をそれぞれ設けているが、フラットベッド３５側に嵌合部を、インクジェットプリンタ３側に突起を設けてもよい。また、排紙トレイ６を常に上方に付勢する付勢部材８は、インクジェットプリンタ３のカバー部材２０の切り欠き２１周縁部において、左側壁２１ａ側にしか設けていないが、左右両側の側壁に設けてもよいし、右側壁だけに設けてもよい。
【００３８】
また、本実施の形態の複合機１では、記録媒体である紙の排出部５の下方にインクカートリッジ１８を設け、それらをカバー２６によって全体的に覆ったが、インクカートリッジ１８を覆わずに、それぞれ外部から視認可能な状態としてもよい。さらに、インクカートリッジ１８の交換のために開閉可能になっている第２のカバー２６ｂは、回動軸２３を中心として図４中時計回り方向に回動するが、回動軸２３を基材１０側にして、図４中反時計回り方向に回動するようにしてもよい。その際は、第２のカバー２６ｂが開いた状態であっても動作に支障がない上、インクカートリッジ１８の変換時に、フラットベッド読取部３５を回動させる角度が小さくてもよくなる。
【００３９】
【発明の効果】
以上、詳述したとおり、請求項１に係る発明の記録装置では、記録媒体を外部に案内するトレイの使用可能時には、スキャナ部とトレイの当接部とが当接し、付勢部材の付勢力に逆らってトレイが所定の位置に保持される。従って、トレイの使用可能時には、記録媒体をトレイによって確実に下側から保持できる。また、インクカートリッジの交換時には、スキャナ部のヒンジ部周りの回動に伴い、付勢力によってトレイの前端が上方へ回動し、記録装置を正面視したとき、トレイが回動した状態でインクカートリッジが現出するので、インクカートリッジを容易に取り出すことができ、カートリッジの交換作業の効率を上げることができる。
【００４０】
また、請求項２に係る発明の記録装置では、請求項１に記載の発明の効果に加えて、トレイは、手等を挿入可能な貫通孔を備えているので、トレイに対して表面積の小さい記録媒体が排出されたときも、貫通孔に手を入れることにより、記録媒体をトレイから容易に取り出すことができる。
【００４１】
また、請求項３に係る発明の記録装置では、請求項１又は２に記載の発明の効果に加えて、トレイは、互いにスライド可能で、少なくとも２つの構成部材から構成されている。従って、各構成部材をスライドさせて、トレイ自体をコンパクトに収納することができる。
【００４２】
また、請求項４に係る発明の記録装置では、請求項３に記載の発明の効果に加えて、トレイを構成する少なくとも２つの構成部材は、収納状態において、その先端がスキャナ部の投影範囲内にあるので、構成部材の収納状態では、記録装置を全体的にコンパクトにすることができる。
【００４３】
また、請求項５に係る発明の記録装置では、請求項３に記載の発明の効果に加えて、少なくとも２つの構成部材の一方は、切り欠きを備え、他方は貫通孔を備え、当該一方の構成部材に対して、当該他方の構成部材をスライドした何れの状態においても、前記切り欠きと前記貫通孔が重なった部分に貫通孔が形成される。従って、各構成部材をスライドさせることにより、トレイをコンパクトに収納することができると共に、収納状態及び引き出した状態の何れにおいても、貫通孔に手を入れることより、表面積の小さい記録媒体をトレイから容易に取り出すことができる。
【００４４】
また、請求項６に係る発明の記録装置では、請求項１乃至５の何れかに記載の発明の効果に加えて、スキャナ部には、突起もしくは当該突起が嵌合する嵌合部の何れか一方が設けられており、搬送経路又は排出部の突起もしくは突起が嵌合する嵌合部の何れかに対向する部分には、前記一方とは異なる他方が設けられているので、スキャナ部が搬送経路又は排出部に対して回動することができる構成であっても、スキャナ部の使用状態時には、前記突起と嵌合部との両者の嵌合により、ヒンジ部の軸心方向の位置決めが正確になされるので、スキャナ部ががたつくことなく所定の読み取り動作を的確に行うことができる。
【図面の簡単な説明】
【図１】  図１は、複合機１の斜視図である。
【図２】  図２は、インクジェットプリンタ３の斜視図である。
【図３】  図３は、インクジェットプリンタ３の平面図である。
【図４】  図４は、複合機１の側面図である。
【図５】  図５は、複合機１の側面図である。
【図６】  図６は、排紙トレイ６の平面図である。
【図７】  図７は、排紙トレイ６の平面図である。
【符号の説明】
１    複合機
３    インクジェットプリンタ
４    給紙トレイ
５    排出部
６    排紙トレイ
７    回動軸
８    付勢部材
１０    基材
１８    インクカートリッジ
２０    カバー部材
２２    カバー
３０    スキャナ
３１    突起
３５    フラットベッド読取部
５８    当接部
５８ａ    当接面
【図１】
0004007032.tif 000002
【図２】
0004007032.tif 000003
【図３】
0004007032.tif 000004
【図４】
0004007032.tif 000005
【図５】
0004007032.tif 000006
【図６】
0004007032.tif 000007
【図７】
0004007032.tif 000008